(57)【要約】【課題】屋根の積雪を効率よく、安全に除去することのできる除雪具を提供する。【解決手段】除雪具１は、長尺の柄部４０と、長尺の柄部４０の先端に固定した雪かき部３０と、からなる。雪かき部３０は、水平プレート１１と、水平プレート１１の両端に立設した一対の垂直プレート１５と、を有する雪切断部材１０と、水平プレート１１に一端が固着され、雪切断部材１０によって切断された雪を滑落させるための、雪を切断する方向に対して直角方向に折り畳み可能な蛇腹状の板状部材２０と、からなる。板状部材２０は、プラスチックダンボールであることが好ましい。雪切断部材１０の底部に、垂直プレート１１と対向して立設した一対のスライド部材６０を備えていることが好ましい。水平プレート１１の上面に柄部４０の先端を挟持固定するための一対の立設片５０を備えていることが好ましい。【選択図】  図１
2018059275.tif 000002
【特許請求の範囲】
【請求項１】
長尺の柄部と、該長尺の柄部の先端に固定した雪かき部と、からなる除雪具であって、
前記雪かき部は、水平プレートと、該水平プレートの両端に立設した一対の垂直プレートと、を有する雪切断部材と、
前記水平プレートに一端が固着され、前記雪切断部材によって切断された雪を滑落させるための、雪を切断する方向に対して直角方向に折り畳み可能な蛇腹状の板状部材と、からなることを特徴とする除雪具。
【請求項２】
前記板状部材は、プラスチックダンボールである請求項１に記載の除雪具。
【請求項３】
前記雪切断部材の底部に、前記垂直プレートと対向して立設した一対のスライド部材を備えた請求項１又は２に記載の除雪具。
【請求項４】
前記水平プレートの上面に前記柄部の先端を挟持固定するための一対の立設片を備えた請求項１乃至３のうちのいずれか１項に記載の除雪具。
【請求項５】
前記スライド部材の下部及び／又は前記立設片の上部は、先端側がアール形状に形成されている請求項３又は４に記載の除雪具。
【請求項６】
前記水平プレート及び／又は前記垂直プレートは、雪を切断する方向に向かって先端側が次第に薄肉に形成された請求項１乃至５のうちのいずれか１項に記載の除雪具。
【請求項７】
前記柄部は、前記板状部材側に、前記水平プレートに対して平行に固定された請求項１乃至６のうちのいずれか１項に記載の除雪具。
【請求項８】
前記柄部は、前記板状部材と対向する側に、前記水平プレートに対して傾斜して固定された請求項１乃至６のうちのいずれか１項に記載の除雪具。
【発明の詳細な説明】
【技術分野】
【０００１】
本発明は、屋根の積雪を効率よく、安全に除去することのできる除雪具に関する。
【背景技術】
【０００２】
積雪の多い地域では、建物の屋根に耐久量を越える雪が積もる場合がある。この様な状況の下、作業者が屋根上に登り、スコップなどの除雪具を用いて雪下ろしを行なうことが行なわれている。この雪下ろし作業は、重労働であることに加え、積雪は滑りやすく危険である。特に、屋根の先端付近においての作業は、屋根の先端位置が雪で覆われて分かりづらく、足を踏み外しやすく滑落の危険性が高まる。
【０００３】
ここで、屋根に登ることなく安全に積雪を除去することのできる除雪具が提案されている（例えば、特許文献１参照。）。
この除雪具は、シートを取付けたベースプレートとサイドカッターからなる雪かき部に長尺の柄を備えて形成されている。この除雪具によれば、ベースプレートとサイドカッターによって切り取られた雪をシート上を滑らせて落とすことができるため、地上にいながら屋根の積雪を除去することができる。
【先行技術文献】
【特許文献】
【０００４】
【特許文献１】実登３１７７２６４号公報
【発明の概要】
【発明が解決しようとする課題】
【０００５】
ここで、特許文献１に記載の除雪具によると、雪塊を滑落させるための滑落シートとして、ポリエチレンシートやビニールシートなどの軟質シートが想定されている（特許文献１の段落［００１５］、図５）。
実際の除雪作業において、軟質シートを使用した場合、シート全体を広げた状態を維持することは困難な場合が多い。例えば、除雪作業中にシートの下に雪が入り込んだり、風によって横方向にシートがめくれ上がったりすることがある。
そうすると、シートが重なったり、巻きついたりして、シート全体を広げた状態を保持しづらく、雪がシート上を滑落するのを妨げるおそれがある。
【０００６】
本発明はかかる従来の問題点に鑑みてなされたものであり、屋根の積雪を効率よく、安全に除去することのできる除雪具を提供するものである。
【課題を解決するための手段】
【０００７】
本発明は、以下の通りである。
１．長尺の柄部と、該長尺の柄部の先端に固定した雪かき部と、からなる除雪具であって、前記雪かき部は、水平プレートと、該水平プレートの両端に立設した一対の垂直プレートと、を有する雪切断部材と、前記水平プレートに一端が固着され、前記雪切断部材によって切断された雪を滑落させるための、雪を切断する方向に対して直角方向に折り畳み可能な蛇腹状の板状部材と、からなることを特徴とする除雪具。
２．前記板状部材は、プラスチックダンボールである１．に記載の除雪具。
３．前記雪切断部材の底部に、前記垂直プレートと対向して立設した一対のスライド部材を備えた１．又は２．に記載の除雪具。
４．前記水平プレートの上面に前記柄部の先端を挟持固定するための一対の立設片を備えた１．乃至３．のうちのいずれか１項に記載の除雪具。
５．前記スライド部材の下部及び／又は前記立設片の上部は、先端側がアール形状に形成されている請求項３又は４に記載の除雪具。
６．前記水平プレート及び／又は前記垂直プレートは、雪を切断する方向に向かって先端側が次第に薄肉に形成された１．乃至５．のうちのいずれか１項に記載の除雪具。
７．前記柄部は、前記板状部材側に、前記水平プレートに対して平行に固定された１．乃至６．のうちのいずれか１項に記載の除雪具。
８．前記柄部は、前記板状部材と対向する側に、前記水平プレートに対して傾斜して固定された１．乃至６．のうちのいずれか１項に記載の除雪具。
【発明の効果】
【０００８】
１．本発明に係る除雪具によると、雪かき部は、水平プレートと、水平プレートの両端に立設した一対の垂直プレートと、を有する雪切断部材を備えているため、効率よく積雪を切断することができる。そして、水平プレートに、雪を切断する方向に対して直角方向に折り畳み可能な蛇腹状の板状部材の一端が固着されているため、切断した雪塊を容易に滑落させることができる。
板状部材が蛇腹状であるため、屋根の先端付近では、山折り部で屈曲することで、板状部材が垂下するため、雪が屋根の先端直下に落下する。このため、屋根下から少し離れていれば、安全に作業ができる。
また、除雪作業により蛇腹状の板状部材が上下に揺れ動くことで、雪にも振動を与え、雪の落下を促進することができる。
２．板状部材がプラスチックダンボールである場合には、軽量であり、強度に優れ、更に雪に対する摩擦抵抗も極めて少ないため、更に効果的に利用できる。
３．雪切断部材の底部に、前記垂直プレートと対向して立設した一対のスライド部材を備えている場合には、スライド部材が屋根に対してスライドするため、水平プレートを雪に対して挿入しやすく作業性に優れたものとなる。
４．水平プレートの上面に柄部の先端を挟持固定するための一対の立設片を備えている場合には立設片に穿設した孔に、柄部を固着具によって容易に固定することができる。
５．スライド部材の下部及び／又は立設片の上部が、先端側がアール形状に形成されている場合には、雪に挿入する際の抵抗を軽減することができる。
６．前記水平プレート及び／又は前記垂直プレートが、雪を切断する方向に向かって先端側が次第に薄肉に形成されている場合には、雪に対する抵抗を軽減して挿入しやすくなる。
７．柄部は、板状部材側に、水平プレートに対して平行に固定されている場合には、地上から除雪作業をする際に適した構成となる。
８．柄部は、板状部材と対向する側に、水平プレートに対して傾斜して固定されている場合には、屋根上からの除雪作業に適した構成となる。
【図面の簡単な説明】
【０００９】
【図１】本発明の実施形態の除雪具を示す斜視図である。
【図２】（ａ）は、図1におけるＸ−Ｘ断面図であり、（ｂ）は、図1におけるＹ−Ｙ断面図である。
【図３】実施形態の除雪具の柄部の長さが調整可能である例を示す斜視図である。
【図４】実施形態の除雪具の分解斜視図である。
【図５】実施形態の除雪具において、柄部の水平プレートへの取付け構造を示す模式的な側面図であり、（ａ）は、板状部材側に、水平プレートに対して平行に固定されている場合、（ｂ）は、板状部材と対向する側に、水平プレートに対して傾斜して固定されている場合を示す。
【図６】実施形態の除雪具を地上において使用する場合の様子を示す模式的な側面図である。
【図７】実施形態の除雪具を屋根上において使用する場合の様子を示す模式的な側面図である。
【図８】実施形態の除雪具を地上において使用する場合の様子を示す模式的な斜視図である。
【図９】実施形態の除雪具を屋根上において使用する場合の様子を示す模式的な斜視図である。
【発明を実施するための形態】
【００１０】
本発明に係る除雪具を具体化した実施形態を図面に基づいて以下に説明する。
［実施形態１］
図１に示すように、除雪具１は、長尺の柄部４０と、長尺の柄部４０の先端に固定した雪かき部３０とからなる。
【００１１】
雪かき部３０は、雪切断部材１０と板状部材２０とから構成されている。
雪切断部材１０は、雪に挿入して雪を切断する部材であり、水平プレート１１と、水平プレート１１の両端に立設した一対の垂直プレート１５、１５と、を有している。水平プレート、垂直プレートの材質は特に限定はないが、強度を保持するために金属製であることが好ましい。また、その厚さは特に限定はないが、２．５〜３．５ｍｍであることが好ましく、２．８〜３．２ｍｍであることが更に好ましい。２．５ｍｍ未満であると雪に挿入した時に変形しやすく、３．５ｍｍを超えると、雪に対する抵抗が大きく挿入するのが困難となる。
水平プレート１１の上面には、柄部４０の先端を固定するための、一対の立設片５０、５０が備えられている。この立設片５０、５０には、水平方向に２個の透孔５０ａ、５０ａと、先端方向上部に１個の透孔５０ｂが穿設されている。図５（ａ）に示すように、柄部４０に穿設された貫通孔４０ｈと、透孔５０ａを固着具７０で固定することで、雪切断部材１０に柄部４０が固着される。
【００１２】
水平プレート１１及び／又は垂直プレート１５は、図２（ａ）、（ｂ）に示すように雪を切断する方向に向かって先端側が次第に薄肉に形成されていることが好ましい。傾斜面１１ａ、１５ａを有することで、雪に対する抵抗を軽減して挿入しやすくなる。
板厚Ｔに対する先端部分の厚さＳの比は特に限定はないが、Ｔ：Ｓ＝３：２．５〜１．５であることが好ましい。例えば、Ｔ＝３ｍｍ、Ｓ＝２ｍｍとすることができる。
【００１３】
雪切断部材１０の底部に、垂直プレート１５と対向して立設した一対のスライド部材６０を備えている。こうすることで、スライド部材６０が屋根に対してスライドするため、水平プレート１１及び水平プレートの固着具が屋根に直接接触することなく、雪に対して挿入しやすく作業性に優れたものとなる。
【００１４】
スライド部材６０の下部、立設片５０の上部は、先端側がアール形状に形成されている。こうすることで、雪切断部材１０を雪に挿入した場合に雪に対する抵抗を更に軽減することができる。
【００１５】
板状部材２０は、水平プレート１１に一端が固着され、雪切断部材１０によって切断された雪を滑落させるための部材であり、雪を切断する方向に対して直角方向に折り畳み可能な蛇腹状に形成されている。板状部材２０は、図１に示すように、小板状体２１、２２、２３、２４とから構成され、山折り部２０ａ、２０ｃと谷折り部２０ｂによって蛇腹状に折り畳み可能に形成されている。
板状部材の材質は特に限定はないが、軽量で硬質の部材であることが好ましい。例えば、プラスチックダンボールであれば好適に用いることができる。
板状部材は、硬質蛇腹形状とすることで、雪を滑落させる効果が、軟質シート材に比較して格段に高い。すなわち、蛇腹状であるため、屋根上で雪に挿入していく際、屋根先端部、屋根上の雪などの突起部に蛇腹の山折り部、谷折り部が接触することで、板状部材が上下に揺れ動き、その振動で雪を滑落させる力が増す。更に軟質のシート材と異なり、横方向にずれたり、重なったり、巻きついたりすることがない。
【００１６】
柄部４０は、筒状部材４１、４２、４３をそれぞれ順次挿着して接続し、固着具で固定されている。
柄部は、この構成に限定されず、一本の筒状部材、中実棒状部材からなるものでもよい。また、図３に示すように、レバー４５により、筒状部材４０ａが筒状部材４０ｂ内部にスライド挿着固定できる構成であってもよい。
【００１７】
（作製）
除雪具１は、例えば次のようにして作製することができる。図４に示すように、
垂直プレート素材１５Ａ、立設片素材５０Ａ、水平プレート兼用スライド部材素材１１Ａ、板状部材２０、板状部材固定板１１Ｂを固着具（例えば、ボルトナット、蝶ナット等、以下同じ。）で固定する。固着具としては、蝶ナットであれば、工具を用いずに、手指のみで着脱できるため特に好ましい。こうして、雪かき部３０が形成される。
次いで、柄部４０を立設片素材５０Ａに固着具で固定すれば、除雪具１が完成する。
ただし、この作製方法は、一例であって適宜変更して作製することができる。
【００１８】
（動作）
実施形態１に係る除雪具１を使用して除雪を行う動作について、以下説明する。
除雪具１は、図６及び図８に示すように、地上において、屋根９０の上面９１上の積雪８０を除去するための用具である。
柄部４０は、図１に示すように、水平プレート１１に対して平行に固定されており、垂直プレート１５が屋根の上面９１の雪に対して直角に挿入されることで、図８に示すように作業がしやすく効率的に行うことができる。
除雪作業を行うには、図６に示すように、積雪８０に対して、除雪具１を矢印方向に挿入する。そうすると、雪切断部材１０によって雪８０が切断されて雪塊８１（図８においては雪塊８４）となって、板状部材２０に沿って落下する。
雪切断部材１０を雪８０へ挿入するに際しては、屋根の上面９１に対してスライド部材６０がスライドし、水平プレート１１と屋根の上面９１が接触しないため、スムーズに挿入することができる。
更に、図５（ａ）に示すように、スライド部材６０の下部、立設片５０の上部は、先端側がアール形状に形成されていることで、雪切断部材１０は更にスムーズに挿入することができる。
また、板状部材２０は、蛇腹状であるため、屋根の上面９１の先端付近で折れ曲がり、雪塊８１（８４）は屋根の先端直下に落下することで、図８に示すように作業者に降りかかることがなく、安全性が確保される。
【００１９】
［実施形態２］
実施形態２に係る除雪具２は、図５（ｂ）、図７に示すように、柄部４０は、板状部材２０と対向する側に、水平プレートに対して傾斜して固定されている。
すなわち、図５（ｂ）に示すように、水平プレート上面に備えた立設片５０に穿設された透孔５０ａと透孔５０ｂに、柄部４０に穿設された貫通孔４０ｈを固着具７０で固定することで、雪切断部材１０に柄部４０が固着される。
【００２０】
（動作）
除雪具２は、図７及び図９に示すように、屋根上において、屋根９０の上面９１の積雪８０を除去するための用具である。
柄部４０は、図７に示すように、水平プレート１１に対して傾斜して固定されており、立ち姿勢で除雪作業を行うと、垂直プレート１５が屋根９０上面９１に対して直角に挿入されることで、図９に示すように作業がしやすく効率的に行うことができる。
除雪作業に際しては、図７に示すように、雪切断部材１０を屋根９０の先端付近に載置して、矢印方向に柄部４０を引く。そうすると、雪８０が切断されて雪塊８２、８３（図９においては、雪塊８５、８６）となって、板状部材２０に沿って落下する。
作業者は、屋根の先端部から離れて除雪作業ができるため、安全性が確保される。
その他の構成、作製、作用効果については、実施形態１に係る除雪具１と同様であるため、その説明を省略する。
【符号の説明】
【００２１】
１、２；除雪具、１０；雪切断部材、１１；水平プレート、１５；垂直プレート、２０；板状部材、３０；雪かき部、４０；柄部、５０；立設片、６０；スライド部材
【図１】
2018059275.tif 000003
【図２】
2018059275.tif 000004
【図３】
2018059275.tif 000005
【図４】
2018059275.tif 000006
【図５】
2018059275.tif 000007
【図６】
2018059275.tif 000008
【図７】
2018059275.tif 000009
【図８】
2018059275.tif 000010
【図９】
2018059275.tif 000011
【手続補正書】
【提出日】平成29年12月25日(2017.12.25)
【手続補正１】
【補正対象書類名】特許請求の範囲
【補正対象項目名】全文
【補正方法】変更
【補正の内容】
【特許請求の範囲】
【請求項１】
地上からの除雪作業をする際に適した、又は、屋根上からの除雪作業に適した、長尺の柄部と、該長尺の柄部の先端に固定した雪かき部と、からなる除雪具であって、
前記雪かき部は、前記屋根の上面に対して略水平である水平プレートと、該水平プレートの両端に立設した一対の、前記屋根の上面に対して略垂直である垂直プレートと、を有する雪切断部材と、
前記水平プレートに一端が固着され、前記雪切断部材によって切断された雪を滑落させるための、雪を切断する方向に対して直角方向に折り畳み可能な蛇腹状の板状部材と、からなることを特徴とする除雪具。
【請求項２】
前記板状部材は、プラスチックダンボールである請求項１に記載の除雪具。
【請求項３】
前記雪切断部材の底部に、前記垂直プレートと対向して立設した一対の、前記屋根の上面に対してスライドするスライド部材を備えた請求項１又は２に記載の除雪具。
【請求項４】
前記水平プレートの上面に前記柄部の先端を挟持固定するための一対の立設片を備えた請求項１乃至３のうちのいずれか１項に記載の除雪具。
【請求項５】
前記スライド部材の下部及び／又は前記立設片の上部は、先端側がアール形状に形成されている請求項３又は４に記載の除雪具。
【請求項６】
前記水平プレート及び／又は前記垂直プレートは、雪を切断する方向に向かって先端側が次第に薄肉に形成された請求項１乃至５のうちのいずれか１項に記載の除雪具。
【請求項７】
前記柄部は、前記板状部材側に、前記水平プレートに対して平行に固定された請求項１乃至６のうちのいずれか１項に記載の除雪具。
【請求項８】
前記柄部は、前記板状部材と対向する側に、前記水平プレートに対して傾斜して固定された請求項１乃至６のうちのいずれか１項に記載の除雪具。
【手続補正２】
【補正対象書類名】明細書
【補正対象項目名】０００７
【補正方法】変更
【補正の内容】
【０００７】
本発明は、以下の通りである。
１．地上からの除雪作業をする際に適した、又は、屋根上からの除雪作業に適した、長尺の柄部と、該長尺の柄部の先端に固定した雪かき部と、からなる除雪具であって、前記雪かき部は、前記屋根の上面に対して略水平である水平プレートと、該水平プレートの両端に立設した一対の、前記屋根の上面に対して略垂直である垂直プレートと、を有する雪切断部材と、前記水平プレートに一端が固着され、前記雪切断部材によって切断された雪を滑落させるための、雪を切断する方向に対して直角方向に折り畳み可能な蛇腹状の板状部材と、からなることを特徴とする除雪具。
２．前記板状部材は、プラスチックダンボールである１．に記載の除雪具。
３．前記雪切断部材の底部に、前記垂直プレートと対向して立設した一対の、前記屋根の上面に対してスライドするスライド部材を備えた１．又は２．に記載の除雪具。
４．前記水平プレートの上面に前記柄部の先端を挟持固定するための一対の立設片を備えた１．乃至３．のうちのいずれか１項に記載の除雪具。
５．前記スライド部材の下部及び／又は前記立設片の上部は、先端側がアール形状に形成されている請求項３又は４に記載の除雪具。
６．前記水平プレート及び／又は前記垂直プレートは、雪を切断する方向に向かって先
端側が次第に薄肉に形成された１．乃至５．のうちのいずれか１項に記載の除雪具。
７．前記柄部は、前記板状部材側に、前記水平プレートに対して平行に固定された１．乃至６．のうちのいずれか１項に記載の除雪具。
８．前記柄部は、前記板状部材と対向する側に、前記水平プレートに対して傾斜して固
定された１．乃至６．のうちのいずれか１項に記載の除雪具。